(57)【要約】【課題】スクリーンの巻き取り装置の取り付けにおける施工性を向上させることのできるブラケットを提供すること。【解決手段】固定部２とブラケット本体３を備え、ブラケット本体は、対向する一対の第１側壁部１３を有し、この第１側壁部の一端から外方に第１爪が突設されたガイドブロック１０と、対向する一対の第２側壁部を有し、この第２側壁部の一端から第１爪と反対方向に外方に突出する第２爪２８が設けられ、ガイドブロックに摺動自在に支持された摺動ブロック１１とを備え、固定部とブラケット本体のガイドブロックとが、１つの回転軸６により締結され、ブラケット本体が、固定部に対し、回転軸の周りを回転自在に設けられている。【選択図】図１
0003173911.tif 000002
【実用新案登録請求の範囲】
【請求項１】
固定部とブラケット本体を備え、前記ブラケット本体は、対向する一対の第１側壁部を有し、この第１側壁部の一端から外方に第１爪が突設されたガイドブロックと、対向する一対の第２側壁部を有し、この第２側壁部の一端から前記第１爪と反対方向に外方に突出する第２爪が設けられ、前記ガイドブロックに摺動自在に支持された摺動ブロックとを備え、前記固定部と前記ブラケット本体の前記ガイドブロックとが、１つの回転軸により締結され、前記ブラケット本体が、前記固定部に対し、前記回転軸の周りを回転自在に設けられていることを特徴とするブラケット。
【請求項２】
前記固定部と前記ブラケット本体の前記ガイドブロックとの間に平座金が設けられ、この平座金と前記固定部の間および前記平座金と前記ガイドブロックの間に潤滑剤が介在していることを特徴とする請求項１に記載のブラケット。
【考案の詳細な説明】
【技術分野】
【０００１】
本考案は、スクリーンの巻き取り装置を天井に取り付けるブラケットに関する。
【背景技術】
【０００２】
ローラーパイプに一端部において固定されたスクリーンが、ローラーパイプの周りに巻き取られる巻き取り装置は、ローラーパイプを内部に収めるヘッドボックスを備えている。ローラーパイプは、ヘッドボックス内に回転自在に設けられ、ローラーパイプの周りに巻き取られたスクリーンは、ヘッドボックス内に収納される。ヘッドボックス内に収納されたスクリーンは、その他端部においてヘッドボックスから引き出し可能であり、ローラーパイプの回転をともなって引き出され、展開する。展開したスクリーンは、建物の窓などの開口部を覆うブラインドや映写用のスクリーンなどとして使用される。
【０００３】
このようなスクリーンの巻き取り装置は、建物の天井などにブラケットを介して取り付けられる。巻き取り装置のヘッドボックスに形成された溝に、ブラケットに設けられた爪を嵌合させることにより、巻き取り装置は取り付けられる。巻き取り装置の取付用のブラケットには、これまでに各種のものが提供されているが、巻き取り装置の取り付けの際には、一般に、２個のブラケットが、建物の天井などにねじを用いて固定される。
【０００４】
しかしながら、２個のブラケットが一直線上に並んでいないと、巻き取り装置の取り付けができないという問題があった。このため、２個のブラケット間の距離がたとえば３．３ｍとなるような長尺の巻き取り装置を取り付ける場合などは、水糸を張るなどしてブラケットの固定位置を正確に測定する必要があった。
【０００５】
また、２個のブラケットの固定位置に精度が要求されないようにするためには、ヘッドボックスの溝にブラケットの爪を緩く嵌合させることが必要となるが、この場合、施工後の巻き取り装置のガタツキが大きくなるなどの不具合が発生しやすくなる。
【０００６】
このような巻き取り装置の取り付けに関する問題を解消するものとして、下記特許文献１には、ブラケット自体の取付誤差を吸収可能なブラケットが記載されている。このブラケットは、水平板状のブラケット本体と、このブラケット本体の下側に摺動可能に挿入したブロック体とからなり、ブロック体は前後方向に摺動自在であり、かつブラケット本体に設けられた掛座は前後方向に弾性変形可能である。このため、ヘッドボックスとブラケット本体は、掛座を中心に相対的にある一定の角度だけ振れ回すことができ、ブラケット本体とヘッドボックスの相対的な取付角度の位置ずれが比較的大きくても吸収することができる。したがって、ブラケット本体の取付位置に誤差があっても、ヘッドボックスを支障なくブラケットに取り付けることができる。
【先行技術文献】
【特許文献】
【０００７】
【特許文献１】特開平７−３３１９７０号公報
【考案の概要】
【考案が解決しようとする課題】
【０００８】
しかしながら、特許文献１に記載されたブラケットでは、ブラケット本体とヘッドボックスの相対的な取付角度の位置ずれを吸収することができても、ヘッドボックスの取付強度を高め、また、取付状態を安定化させるために、振れ回したブラケット本体を固定するねじを増し締めすることができない。それというのも、ヘッドボックスの施工後に、ブラケット本体の取付座板の中央部に形成されたねじ孔に通されたねじがヘッドボックスによって隠れてしまうからである。ねじを増し締めしないと、スクリーンの引き出しおよび巻き取り時に巻き取り装置全体がぐらつくなどの不具合が発生しやすく、また、ねじの緩みを誘発して巻き取り装置が落下しやすくなるという危険性がある。
【０００９】
本考案は、以上のとおりの事情に鑑みてなされたものであり、スクリーンの巻き取り装置の取り付けにおける施工性を向上させることのできるブラケットを提供することを課題としている。
【課題を解決するための手段】
【００１０】
上記の課題を解決するために、本考案のブラケットは、固定部とブラケット本体を備え、ブラケット本体は、対向する一対の第１側壁部を有し、この第１側壁部の一端から外方に第１爪が突設されたガイドブロックと、対向する一対の第２側壁部を有し、この第２側壁部の一端から第１爪と反対方向に外方に突出する第２爪が設けられ、ガイドブロックに摺動自在に支持された摺動ブロックとを備え、固定部とブラケット本体のガイドブロックとが、１つの回転軸により締結され、ブラケット本体が、固定部に対し、回転軸の周りを回転自在に設けられていることを特徴とする。
【００１１】
このブラケットにおいては、固定部とブラケット本体のガイドブロックとの間に平座金が設けられ、この平座金と固定部の間および平座金とガイドブロックの間に潤滑剤が介在していることが好ましい。
【考案の効果】
【００１２】
本考案のブラケットによれば、スクリーンの巻き取り装置の取り付けにおける施工性が向上する。
【図面の簡単な説明】
【００１３】
【図１】本考案のブラケットの一実施形態を示した斜視図である。
【図２】図１に示したブラケットの分解斜視図である。
【図３】図１に示したブラケットの底面図である。
【図４】図１に示したブラケットを用いて巻き取り装置を取り付ける状態を示した要部斜視図である。
【図５】図４に示した巻き取り装置の取付状態の要部断面図である。
【図６】２個のブラケットの取付精度が及ぼすヘッドボックスの取付状態を検証した試験を示した概要図である。
【考案を実施するための形態】
【００１４】
図１は、本考案のブラケットの一実施形態を示した斜視図である。図２は、図１に示したブラケットの分解斜視図である。図３は、図１に示したブラケットの底面図である。
【００１５】
ブラケット１は、固定部２とブラケット本体３を備えている。固定部２は、平板状で矩形形状を有する連結部４と、連結部４の左右両端部から一段立ち上がり、外方に延在しているフランジ部５とから形成されている。連結部４の中心部には、回転軸６を形成するリベット７を通す、円形形状を有する孔８が、連結部４の表裏を貫通して形成されている。各フランジ部５には、小判状の形状を有する３つの固定孔９が、フランジ部５の表裏を貫通して形成されている。３つの固定孔９は、各フランジ部５の突出代の中心線上を一列に並んで配置されている。３つの固定孔９の内のいずれか２つを選んで（一般にはフランジ部５の前後両端部に位置する２つが選択される）、その下方からねじを上方に向けて挿入し、建物の天井を形成する駆体部にねじをねじ込むことにより、ブラケット１は、天井に取り付けられる。
【００１６】
ブラケット本体３は、ガイドブロック１０と摺動ブロック１１を備えている。ガイドブロック１０は、平板状で矩形形状を有する上面部１２と、上面部１２の左右両側端縁から垂下する、対向する一対の第１側壁部１３と、図３に示したように、ガイドブロック１０の後端部を形成する、平板状で矩形形状を有する背面部１４とから形成されている。上面部１２は、固定部２の連結部４とほぼ同じ大きさとされている。上面部１２の中心部には、図２に示したように、固定部２の連結部４に形成された孔８に対応して、リベット７を通す、円形形状を有する孔１５が、上面部１２の表裏を貫通して形成されている。各第１側壁部１３の後端からは、ガイドブロック１０の外方に第１爪１６が突設されている。第１爪１６は、下端面に、第１爪１６の前端から後端に向かって斜め上方に傾斜する傾斜面１７と、上端面の後端部に、斜め下方に傾斜する傾斜面１８とを有している。また、各第１側壁部１３には、中央部から前方寄りの部分にコ字型形状を有する切欠１９が形成され、切欠１９の内側に、ガイドブロック１０の内方にやや折り曲げられた、矩形形状を有するストップ片２０が設けられている。さらに、各第１側壁部１３には、図３に示したように、その下端からガイドブロック１０の内方に延び、第１側壁部１３と直交するガイド片２１が設けられている。
【００１７】
摺動ブロック１１は、ガイドブロック１０よりもひとまわり小さなサイズとされている。図３に示したように、摺動ブロック１１は、平板状で矩形形状を有する上面部２２と、上面部２２の左右両側端縁から垂下する、対向する一対の第２側壁部２３と、摺動ブロック１１の後端部寄りの部分に、上面部２２から下方に垂下する連結片２４とから形成されている。上面部２２は、ガイドブロック１０の上面部１２の大きさより小さくされている。上面部２２の中心部には、ガイドブロック１０の上面部に形成された孔１５に対応して孔２５が、上面部２２の表裏を貫通して形成されている。孔２５は、円形の孔１５よりも大きな楕円形状を有している。また、上面部２２には、図２に示したように、その前端縁から摺動ブロック１１の外方に突出する操作片２６が設けられ、操作片２６の前端部２７は、操作片２６に対して略直角に下方に折り曲げられている。図３に示したように、各第２側壁部２３の前端からは、ガイドブロック１０に設けられた第１爪１６と反対方向に外方に突出する第２爪２８が設けられている。第２爪２８は、下端面に上方に湾曲する湾曲面２９を有している。また、各第２側壁部２３には、中央部から前方寄りの部分に、矩形形状を有する開口部３０が形成されている。連結片２４には、摺動ブロック１１の後部側に、連結部材３１を介して、断面略Ｖ字形状を有する板ばね３２が連結されている。
【００１８】
ブラケット本体３では、摺動ブロック１１を板ばね３２とともに、ガイドブロック１０の内側にその前端から挿入することによって、摺動ブロック１１がガイドブロック１０に摺動自在に支持される。摺動ブロック１１は、ガイドブロック１０よりもひとまわり小さなサイズを有しているので、ガイドブロック１０の内側に挿入することができる。板ばね３２から摺動ブロック１１をガイドブロックの前端から後端に向けて挿入すると、摺動ブロック１１の第２側壁部２３が、ガイドブロック１１のストップ片２０に当接するが、ストップ片２０は弾性を有しているので、第１側壁部１３の外側に撓むように変形する。このため、摺動ブロック１１はガイドブロック１０の内側に挿入される。板ばね３２の後端部が、ガイドブロック１０の背面部１４に当接すると、ストップ片２０は初期状態に復元し、摺動ブロック１１の第２側壁部２３に形成された開口部３０の内側に配置される。このため、摺動ブロック１１の前方への移動は、開口部３０の後端の内縁がストップ片２０に接触するまでの範囲内で規制される。ガイドブロック１０の内側への挿入後の摺動ブロック１１では、操作片２６が、図１に示したように、ガイドブロック１０の前方に突出して配置され、第２側壁部２３が、ガイドブロック１０のガイド片２１にガイドされて、摺動ブロック１１は、ガイドブロック１０に前後方向に摺動自在に支持される。操作片２６を前端部２７において後方に押し込むと、連結片２４が板ばね３２を後方に押圧し、板ばね３２が弾性変形し、摺動ブロック１１をガイド片２１に沿って後方に押し込むことができる。操作片２６の後方への押し込みを解除すると、板ばね３２が初期状態に復元するため、摺動ブロック１１は、ガイド片２１に沿って前方に移動し、開口部３０の後端の内縁がストップ片２０に接触すると、摺動ブロック１１の前方への移動が停止する。
【００１９】
このようなブラケット１では、図１に示したように、固定部２とブラケット本体３のガイドブロック１０とが、１つの回転軸６を形成するリベット７により締結され、ブラケット本体３が、固定部２に対し、回転軸６の周りを回転自在に設けられている。すなわち、図２に示したように、固定部２とガイドブロック１０は、孔８と孔１５を一致させ、平座金３３を介してリベット７を孔８および孔１５に挿入し、かしめて締結されている。図３に示したように、ブラケット本体３では、摺動ブロック１１がガイドブロック１０に摺動自在に支持されている状態では、摺動ブロック１１の上面部２２に形成された孔２５は、ガイドブロック１０の孔１５の外側に位置している。このため、リベット７は、摺動ブロック１１の下方まで貫通し、平座金３４を孔２５の下側から内部に挿入し、ガイドブロック１０の上面部１２の裏面に当接させて、リベット７の下端部をかしめることができ、固定部２とガイドブロック１０が締結する。なお、リベット７の頭部は、連結部４の上面上に配置されるが、フランジ部５の存在により連結部４はフランジ部５よりも一段下がっているので、リベット７の頭部は、連結部４とフランジ部５の段差内に納まる。ブラケット１を建物の天井に取り付ける際に、リベット７の頭部が天井面に接触してブラケット１の取り付けを阻害することはない。また、孔２５は、孔１５よりも大きな楕円形状を有しているので、固定部２とガイドブロック１０がリベット７により締結されていても、摺動ブロック１１のガイドブロック１１に対する前後方向の摺動は阻害されない。
【００２０】
ブラケット本体３の固定部２に対する回転は、平座金３３の介在によりスムーズに実現される。平座金３３は、固定部２とブラケット本体３のガイドブロック１０との間に設けられている。平座金３３は、ガイドブロック１０の上面部１２に載置可能なやや大きなサイズを有する円環状の部材であり、そのサイズは平座金３４よりも十分大きい。平座金３３の中心部には、固定部２に形成された孔８およびガイドブロック１０の上面部に形成された孔１５よりもひとまわり大きなサイズを有する、リベット７を通す孔３５が、平座金３３の表裏を貫通して形成されている。平座金３３の上面にはグリースなどの潤滑剤３６が、平座金３３の外周部からはみ出さない程度に塗布されている。また、ガイドブロック１０の上面部１２において平座金３３と接触する部分にも、潤滑剤３６が、平座金３３の外周部からはみ出さない程度に塗布されている。このように、潤滑剤３６が、平座金３３と固定部２の間および平座金３３とガイドブロック１０の間に介在しているので、ブラケット本体３の固定部２に対する回転がよりスムーズとなる。
【００２１】
図４は、図１に示したブラケットを用いて巻き取り装置を取り付ける状態を示した要部斜視図である。図５は、図４に示した巻き取り装置の取付状態の要部断面図である。
【００２２】
図４に示したように、スクリーンの巻き取り装置３７は、スクリーン（図示なし）を巻き取るローラーパイプ３８を収納する断面略矩形形状を有するヘッドボックス３９を備えている。スクリーンの一端部はローラーパイプ３８に固定され、スクリーンの他端部にはボトムバー４０が設けられている。ローラーパイプ３８の外周に巻き取られたスクリーンは、ボトムバー４０とともにヘッドボックス３９の内部に収納される。ヘッドボックス３９の下端は開口しており、スクリーンをボトムバー４０とともに下方に引き出すことができるようにしている。ヘッドボックス３９の上端部には、ヘッドボックス３９の長さ方向に、上方に開口する取付溝部４１が形成されている。取付溝部４１の内側縁部には、断面略コ字型形状を有する第１耳部４２と第２耳部４３が設けられている。第１耳部４２にブラケット１の第１爪１６を、第２の耳部４３に第２爪２８を係合させることによって、ヘッドボックス３９はブラケット１に取り付けられる。
【００２３】
ブラケット１は、巻き取り装置３７の取付位置に対応させて建物の天井に固定される。固定部２のフランジ部５の上面を天井面に当接させ、前後に配置された２つの固定孔９にねじ４４を、ばね座金４５を介して挿入し、ねじ４を天井を形成する駆体部にねじ込むことにより、ブラケット１は天井に固定される。固定部２では、フランジ部５が連結部４より一段上がっているので、ねじ４４の頭部は、連結部４とフランジ部５の段差内に収まる。ブラケット１は、ヘッドボックス３９の左右両端部に１個ずつ、計２個が天井に取り付けられる。ブラケット１の取り付け後、ヘッドボックス３９が、ブラケット１に取り付けられ、巻き取り装置３７が天井に取り付けられる。
【００２４】
図５に示したように、ヘッドボックス３９をブラケット１に取り付ける際には、まず、ヘッドボックス３９の取付溝部４１の内側縁部に形成された第１耳部４２の中に、ブラケット本体３のガイドブロック１０に設けられた第１爪１６を挿入し、第１耳部４２に係合させる。第１爪１６は、下端面に傾斜面１７を、また、上端面に傾斜面１８を有しているので、第１爪１６の第１耳部４２への挿入および係合はスムーズに行われる。次いで、ヘッドボックス３９を天井に向けて押し上げ、第２耳部４３を、ブラケット本体３の摺動ブロック１１に設けられた第２爪２８に接触させる。第２爪２８は、下端面に湾曲面２９を有しているので、第２耳部４３は、ヘッドボックス３９の押し上げにともない、傾斜面２９に沿って上昇する。このとき、摺動ブロック１１がガイドブロック１０の後方に押し込まれ、摺動ブロック１１は、スライド片２１に沿って後退する。第２耳部４３の内部が第２爪２８と対向して配置されると、第２耳部４３と傾斜面２９の接触が解かれ、図３に示した板ばね３２に蓄積された弾性力が解放され、摺動ブロック１１が前方に移動し、第２爪２８が、第２耳部４３の中に挿入され、第２耳部４３と係合する。このような第１耳部４２と第１爪１６の係合および第２耳部４３と第２爪２８の係合は、天井に固定された２個のブラケット１に対して行われ、ヘッドボックス３９は、２つのブラケット１に取り付けられ、固定される。
【００２５】
図１〜図３に示したように、ブラケット１では、ブラケット本体３が、固定部２に対し、回転軸６の周りを回転自在に設けられている。このため、天井に取り付けられた２個のブラケット１が、たとえ一直線上に並んでいなく、基準位置から多少ずれている場合には、ブラケット本体３を回動させることによって、図５に示した第１耳部４２と第１爪１６の係合および第２耳部４３と第２爪２８の係合を実現することができる。したがって、ヘッドボックス３９の取付強度を高め、また、取付状態を安定化させることができ、スクリーンの巻き取り装置３７の取り付けにおける施工性を向上させることができる。
【００２６】
実際に、２個のブラケット１の取付精度が及ぼすヘッドボックス３９の取付状態について検証を行った。図６に示したように、２このブラケット１間の距離を3220mmとし、一方のブラケット１を基準線４６上に取り付け、他方のブラケット１を基準線４６から１mmずつずらし、位置ずれΔＰが何mmまでヘッドボックス３９の取り付けが可能であるか検証した。ブラケット１では、ΔＰが１０mmまでヘッドボックス３９の取り付けが可能であった。この結果より、ブラケット１を用いてヘッドボックス３９の取り付けを行う場合には、２個のブラケット１を目見当で取り付けても、ヘッドボックス３９を安定な取付状態で取り付けることができ、巻き取り装置３７を建物の天井に取り付けることが可能であることが確認された。
【００２７】
なお、ブラケット１では、操作片２６をその前端部２７において後方に押し込むことにより、第２耳部４３と第２爪２８の係合を解除することができる。このため、ヘッドボックス３９の取り外しを容易に行うことができる。第２耳部４３と第２爪２８の係合を解除した後、ヘッドボックス３９を下方に引き下げることによって、第１耳部４２と第１爪１６の係合を解除することができ、ヘッドボックス３９をブラケット１から取り外すことができる。
【００２８】
もちろん、本考案は、以上の実施形態によって限定されるものではない。固定部、ガイドブロックおよび摺動ブロックの細部の構成や構造については様々な態様が可能である。
【符号の説明】
【００２９】
１  ブラケット
２  固定部
３  ブラケット本体
６  回転軸
１０  ガイドブロック
１１  摺動ブロック
１３  第１側壁部
１６  第１爪
２３  第２側壁部
２８  第２爪
３３  平座金
３６  潤滑剤
【図１】
0003173911.tif 000003
【図２】
0003173911.tif 000004
【図３】
0003173911.tif 000005
【図４】
0003173911.tif 000006
【図５】
0003173911.tif 000007
【図６】
0003173911.tif 000008